(57)【要約】【課題】扉部材を開閉する際の衝撃力によって扉部材や筐体が損傷することを低減できる遊技機を提供する。【解決手段】本体１１に対して前面扉１２を開閉自在とする開閉機構部材１００は、第１開閉機構部材１１０と第２開閉機構部材１６０とを備え、第１開閉機構部材１１０は、前面扉１２の開放に伴って当該前面扉１２の支軸側の上部を下部よりも大きく本体１１から離れさせるリンク機構部１２０を備えているので、前面扉１２を開放する際に傾斜姿勢から鉛直姿勢に向かうように起立させていくことができ、前面扉１２の勢いが付くのを抑制して最大開放状態とすることができ、前面扉１２を閉じる場合には、前面扉１２が開放された状態では、閉状態時の傾斜姿勢よりも鉛直姿勢に向かった起立姿勢となっており、従来例と比べて前面扉１２の自重による閉まり易さを低減でき、前面扉１２や本体１１が損傷することを低減できる。【選択図】図２
2014223391.tif 000002
【特許請求の範囲】
【請求項１】
開口方向が斜め上方向である開口面を備えた本体部材と、前記本体部材の前記開口面を閉じるための扉部材とを備えた遊技機において、
前記扉部材を前記本体部材に対して片開き自在に開閉する片開き開閉機構を備え、
前記片開き開閉機構は、前記開口面を見た状態で前記本体部材での左側または右側に設けられた、前記扉部材を前記本体部材に対して片開き自在とするための第１開閉機構部と、前記第１開閉機構部よりも下方で間隔を空けた位置に設けられた、前記扉部材を前記本体部材に対して片開き自在とするための第２開閉機構部とを備え、
前記第１開閉機構部は、前記扉部材の開放に伴って当該扉部材の支軸側の上部を下部よりも大きく前記本体部材から離れさせる機構部を備えている
ことを特徴とする遊技機。
【請求項２】
側面視で上側よりも下側の方が長く、かつ、上側よりも下側の方が前面側に張り出した本体部材と、前記本体部材の前面側に設けられた開口面を閉じるための扉部材とを備えた遊技機において、
前記扉部材を前記本体部材に対して片開き自在に開閉する片開き開閉機構を備え、
前記片開き開閉機構は、前記開口面を見た状態で前記本体部材での左側または右側に設けられた、前記扉部材を前記本体部材に対して片開き自在とするための第１開閉機構部と、前記第１開閉機構部よりも下方で間隔を空けた位置に設けられた、前記扉部材を前記本体部材に対して片開き自在とするための第２開閉機構部とを備え、
前記第１開閉機構部は、前記扉部材の開放に伴って当該扉部材の支軸側の上部を下部よりも大きく前記本体部材から離れさせる機構部を備えている
ことを特徴とする遊技機。
【発明の詳細な説明】
【技術分野】
【０００１】
この発明は、パチンコ機やスロットマシン等の遊技機に関する。
【背景技術】
【０００２】
従来、遊技機の代表例として例えばスロットマシンがある。このスロットマシンは、例えば、当該スロットマシンの外殻を形成し遊技場（ホール）の遊技島に固定される筐体と、この筐体の正面視での左端側を開閉軸として筐体に対して開閉可能に支持される前面扉とを備えている。この筐体は、その前面側に、開口方向が斜め上方向である開口面を有しており、前面扉は筐体の開口面を閉じるためのものであり、前面扉がその左辺側の傾斜開閉軸で開閉するようになっている（例えば、特許文献１参照）。つまり、筐体の下面積（つまり、底面の前後幅）を大きくすることで、前面扉である。に対して最大に開放した状態で保持できるようになっている。また、前面扉を閉じた状態では、スロットマシンの前面側で遊技する遊技者から見れば、この前面扉の上部はその下部よりも遊技者から離れており、遊技者に圧迫感を与えないようになっているし、遊技者がやや見下ろす姿勢で遊技ができるようになっている。
【先行技術文献】
【特許文献】
【０００３】
【特許文献１】特開２００３−３０５１５４号公報（第６−８頁，第５，６図）
【発明の概要】
【発明が解決しようとする課題】
【０００４】
しかしながら、このような構成を有する従来例の場合には、次のような問題がある。
すなわち、従来のスロットマシンでは、前述の前面扉（扉部材）の開閉部品として抜き差し蝶番などが用いられているが、近年では前面扉に大型液晶ユニットが搭載され、前面扉の重量が増してきていることから、前面扉が閉まるときに生じる衝撃力が増しており、前面扉が閉まるときの衝撃力で液晶ユニットのガラスパネルが割れたり、前面扉または筐体（本体部材）の開閉部品や係合部が破損したりするあるいはそのおそれがある等の問題がある。また、その逆に前面扉を開く場合には、この前面扉が勢いよく開いて最大開放位置に至ることがあり、その際の勢いで前面扉や筐体（例えば開閉部品や抜き差し蝶番など）が破損したりする等の問題もある。
【０００５】
本発明は、このような事情に鑑みてなされたものであって、扉部材を開閉する際の衝撃力によって扉部材や筐体が損傷することを低減できる遊技機を提供することを目的とする。
【課題を解決するための手段】
【０００６】
この発明は、このような目的を達成するために、次のような構成をとる。
すなわち、請求項１に記載の発明は、
開口方向が斜め上方向である開口面を備えた本体部材と、前記本体部材の前記開口面を閉じるための扉部材とを備えた遊技機において、
前記扉部材を前記本体部材に対して片開き自在に開閉する片開き開閉機構を備え、
前記片開き開閉機構は、前記開口面を見た状態で前記本体部材での左側または右側に設けられた、前記扉部材を前記本体部材に対して片開き自在とするための第１開閉機構部と、前記第１開閉機構部よりも下方で間隔を空けた位置に設けられた、前記扉部材を前記本体部材に対して片開き自在とするための第２開閉機構部とを備え、
前記第１開閉機構部は、前記扉部材の開放に伴って当該扉部材の支軸側の上部を下部よりも大きく前記本体部材から離れさせる機構部を備えている
ことを特徴とする遊技機。
【０００７】
［作用・効果］請求項１に記載の発明によれば、遊技機は本体部材と扉部材と片開き開閉機構とを備えている。本体部材は、開口方向が斜め上方向である開口面を備えている。扉部材は、本体部材の開口面を閉じるためのものである。片開き開閉機構は、第１開閉機構部と第２開閉機構部とを備える。第１開閉機構部は、扉部材を本体部材に対して片開き自在とするためのものであり、開口面を見た状態で本体部材での左側または右側に設けられている。第２開閉機構部は、扉部材を本体部材に対して片開き自在とするためのものであり、第１開閉機構部よりも下方で間隔を空けた位置に設けられている。第１開閉機構部に備えられた機構部は、扉部材の開放に伴って当該扉部材の支軸側の上部を下部よりも大きく本体部材から離れさせる。
【０００８】
まず、扉部材を閉じる際について言えば、従来例では、扉部材の上部がその下部よりも本体部材の方に傾いた傾斜姿勢のままで本体部材に対して閉じられるようになっており、扉部材の自重で閉まり易くなっているのみならず、この扉部材が勢いの付いた状態で閉じられる構成となっている。つまり、扉部材の重心位置は、閉じた状態から斜め上がりに片開きされるにつれて上がっていっており、この重心位置を上げた分の仕事量で勢いが付いて閉じられるので、その閉じた時の当該扉部材の蝶番への閉方向の衝撃力によって扉部材や本体部材が損傷することがある。これに対して、本発明では扉部材の片開き過程でのその重心位置の上がり勾配を従来よりも小さく（重心の変位角を小さく）しており、言い換えれば、扉部材の重心位置ができるだけ水平方向に移動するようにしており、扉部材の片開き時の重心位置上がり分を小さくできた分だけ扉部材の閉じる際の勢いを低減でき、従来例と比べて扉部材の自重による閉まり易さを低減でき、しかも扉部材を閉じるにつれて閉状態の傾斜姿勢に近づいていくため、従来のような傾斜姿勢のままで勢いがついて扉部材が閉まるということを低減でき、扉部材の閉時における第１，第２開閉機構部へのその閉方向の衝撃力を低減でき、扉部材や本体部材が損傷することを低減できる。
【０００９】
これとは逆に、扉部材を開く場合には、第１開閉機構部の機構部により、扉部材の開放に伴って当該扉部材の上部がその下部よりも本体部材から離れていく。すなわち、扉部材を傾斜姿勢から鉛直姿勢に向かうように起立させていくことができる。従来例では、傾斜軸が固定のままで扉部材が本体部材に対して片開きとされており、扉部材を片開き方向に９０°を超えて開く場合には、この扉部材が勢いの付いた状態で片開き方向に９０°を超えた最大開放状態となり、その全開時の当該扉部材の蝶番への開放方向の衝撃力によって扉部材や本体部材が損傷することがある。これに対して、本発明では扉部材の片開き過程でのその重心位置の上がり勾配を従来よりも小さく（重心の変位角を小さく）しており、言い換えれば、扉部材の重心位置ができるだけ水平方向に移動するようにしており、扉部材の片開き時の重心位置上がり分を小さくできた分だけ扉部材の勢いを低減でき、扉部材の勢いが付くのを抑制して最大開放状態（片開き方向に９０°を超えた状態）とすることができ、扉部材の全開時における第１，第２開閉機構部へのその開放方向の衝撃力を低減でき、扉部材や本体部材が損傷することを低減できる。
【００１０】
したがって、扉部材を開閉する際の衝撃力を減らすことができ、扉部材を開閉する際の衝撃力によって扉部材や本体部材が損傷することを低減できる。
【００１１】
なお、本明細書で言う「扉部材の支軸側」とは、扉部材の両辺のうちで開閉軸に近い方の側を含む意味である。
【００１２】
また、請求項２に記載の発明は、
側面視で上側よりも下側の方が長く、かつ、上側よりも下側の方が前面側に張り出した本体部材と、前記本体部材の前面側に設けられた開口面を閉じるための扉部材とを備えた遊技機において、
前記扉部材を前記本体部材に対して片開き自在に開閉する片開き開閉機構を備え、
前記片開き開閉機構は、前記開口面を見た状態で前記本体部材での左側または右側に設けられた、前記扉部材を前記本体部材に対して片開き自在とするための第１開閉機構部と、前記第１開閉機構部よりも下方で間隔を空けた位置に設けられた、前記扉部材を前記本体部材に対して片開き自在とするための第２開閉機構部とを備え、
前記第１開閉機構部は、前記扉部材の開放に伴って当該扉部材の支軸側の上部を下部よりも大きく前記本体部材から離れさせる機構部を備えている
ことを特徴とする遊技機。
【００１３】
［作用・効果］請求項２に記載の発明によれば、前述の請求項１と同様の効果を有する。
【発明の効果】
【００１４】
この発明に係る遊技機によれば、扉部材の片開き過程でのその重心位置の上がり勾配を従来よりも小さく（重心の変位角を小さく）しており、言い換えれば、扉部材の重心位置ができるだけ水平方向に移動するようにしており、扉部材の片開き時の重心位置上がり分を小さくできた分だけ扉部材の閉じる際の勢いを低減でき、扉部材の閉時における第１，第２開閉機構部へのその閉方向の衝撃力を低減でき、扉部材や本体部材が損傷することを低減できる。またこれとは逆に、扉部材をその片開き方向に９０°を超えて開く場合にも、扉部材の片開き過程でのその重心位置の上がり勾配を従来よりも小さく（重心の変位角を小さく）しているので、扉部材の片開き時の重心位置上がり分を小さくできた分だけ扉部材の勢いを低減でき、扉部材の勢いが付くのを抑制して最大開放状態（片開き方向に９０°を超えた状態）とすることができ、扉部材の全開時における第１，第２開閉機構部へのその開放方向の衝撃力を低減でき、扉部材や本体部材が損傷することを低減できる。
【図面の簡単な説明】
【００１５】
【図１】実施例１のスロットマシンの前面扉を閉じた状態の斜視図である。
【図２】実施例１のスロットマシンの前面扉を開いた状態の斜視図である。
【図３】前面扉を開いた状態のスロットマシンの右側面図である。
【図４】前面扉を開いた状態のスロットマシンの正面図である。
【図５】前面扉を開いた状態のスロットマシンの平面図である。
【図６】（ａ）は第１開閉機構部材での進退変位部の進出状態を示す斜視図であり、（ｂ）は第１開閉機構部材での進退変位部の後退状態を示す斜視図である。
【図７】（ａ）は進退変位部が進出状態の第１開閉機構部材の分解斜視図であり、（ｂ）は進退変位部が後退状態の第１開閉機構部材の分解斜視図である。
【図８】（ａ）〜（ｃ）は第１開閉機構部材での進退変位部の変位を示す平面図である。
【図９】（ａ）は前面扉を開いた状態の第２開閉機構部材を示す斜視図であり、（ｂ）は前面扉を閉じた状態の第２開閉機構部材を示す斜視図であり、（ｃ）は前面扉の開閉に伴って変位する、第２開閉機構部材での支持部を示す図である。
【図１０】（ａ）は第１開閉機構部材の回動ベース部の回動状態を示す斜視図であり、（ｂ）はその（ａ）の正面図である。
【図１１】実施例２のスロットマシンの前面扉を開いた状態の斜視図である。
【図１２】実施例２の前面扉を開いた状態のスロットマシンの右側面図である。
【図１３】実施例２の前面扉を開いた状態のスロットマシンの正面図である。
【図１４】実施例２の前面扉を開いた状態のスロットマシンの平面図である。
【図１５】（ａ）は実施例２の第２開閉機構部材を分解斜視図であり、（ｂ）は前面扉を開いた状態の第２開閉機構部材を示す斜視図であり、（ｃ）は前面扉を閉じた状態の第２開閉機構部材を示す斜視図である。
【図１６】実施例３のスロットマシンの前面扉を開いた状態の斜視図である。
【図１７】実施例３の前面扉を開いた状態のスロットマシンの右側面図である。
【図１８】実施例３の前面扉を開いた状態のスロットマシンの正面図である。
【図１９】実施例３の前面扉を開いた状態のスロットマシンの平面図である。
【発明を実施するための形態】
【００１６】
本明細書は、次のような遊技機に係る発明も開示している。
【００１７】
（１）  請求項１、２に記載の遊技機において、
前記第２開閉機構部は、前記扉部材または前記本体部材の一方に取り付けられた軸部材と、前記扉部材または前記本体部材のその他方に設けられた、前記軸部材が挿入された状態でその軸心方向を変位可能に支持する支持部と、を備えている
ことを特徴とする遊技機。
【００１８】
前記（１）に記載の発明によれば、第２開閉機構部は軸部材と支持部とを備えている。軸部材は、扉部材または本体部材の一方に取り付けられている。支持部は、扉部材または本体部材の他方に設けられており、軸部材が挿入された状態でその軸心方向を変位可能に支持する。したがって、扉部材の開閉に伴う当該扉部材の開閉軸方向の変位に対応することができる。
【００１９】
（２）  請求項１、２に記載の遊技機において、
前記第１開閉機構部は第１リンク機構部であり、
前記第２開閉機構部は、前記扉部材の開放に伴って当該扉部材を前記本体部材から離れさせる第２リンク機構部を備え、
前記第１リンク機構部は、前記扉部材の開放に伴って当該扉部材の支軸側の上部を下部よりも大きく前記本体部材から離れさせるものである
ことを特徴とする遊技機。
【００２０】
前記（２）に記載の発明によれば、第１リンク機構部は、扉部材の開放に伴って当該扉部材の支軸側の上部を下部よりも大きく本体部材から離れさせるものである。つまり、第２開閉機構部の第２リンク機構部も、扉部材の開放に伴って当該扉部材を本体部材から離れさせるものであるが、第１リンク機構部と比べて、扉部材の本体部材に対する離間距離は小さくなっている。すなわち、上方位置の第１リンク機構部による扉部材の本体部材に対する離間距離の方が、下方位置の第２リンク機構部による扉部材の本体部材に対する離間距離よりも大きくなっている。したがって、このような離間距離の異なる第１，第２開閉機構部によっても、扉部材の片開き過程でのその重心位置の上がり勾配を従来よりも小さく（重心の変位角を小さく）でき、扉部材の片開き時の重心位置上がり分を小さくできた分だけ扉部材の閉じる際の勢いを低減でき、従来例と比べて扉部材の自重による閉まり易さを低減でき、しかも扉部材を閉じるにつれて閉状態の傾斜姿勢に近づいていくため、従来のような傾斜姿勢のままで勢いがついて扉部材が閉まるということを低減でき、扉部材の閉時における第１，第２開閉機構部へのその閉方向の衝撃力を低減でき、扉部材や本体部材が損傷することを低減できる。また、扉部材を開く場合についてもこれと同様であり、扉部材の勢いが付くのを抑制して最大開放状態（片開き方向に９０°を超えた状態）とすることができ、扉部材の全開時における第１，第２開閉機構部へのその開放方向の衝撃力を低減でき、扉部材や本体部材が損傷することを低減できる。
【００２１】
（３）  請求項１、２に記載の遊技機、または、前記（１）に記載の遊技機において、
前記リンク機構部は、前記扉部材を開いた状態において当該扉部材が鉛直方向または略鉛直方向に起立した起立姿勢となるように、前記扉部材を前記本体部材から離れさせるものである
ことを特徴とする遊技機。
【００２２】
前記（３）に記載の発明によれば、リンク機構部は、扉部材を開いた状態においてこの扉部材が鉛直方向または略鉛直方向に起立した起立姿勢となるように、扉部材を本体部材から離れさせるので、扉部材の閉状態での傾斜姿勢から開状態での鉛直姿勢（または略鉛直姿勢）に起立され、扉部材の勢いが付くのを抑制して最大開放状態とすることができ、扉部材の全開時における第１，第２開閉機構部へのその開放方向の衝撃力を低減でき、扉部材や本体部材が損傷することを低減できる。また、これとは逆に閉じる際について言えば、扉部材が開放された状態では、鉛直姿勢（または略鉛直姿勢）となっており、従来例と比べて扉部材の自重による閉まり易さを低減でき、しかも扉部材を閉じるにつれて閉状態の傾斜姿勢に近づいていくため、従来のような傾斜姿勢のままで勢いがついて扉部材が閉まるということを低減でき、扉部材の閉時における第１，第２開閉機構部へのその閉方向の衝撃力を低減でき、扉部材や本体部材が損傷することを低減できる。したがって、扉部材を開閉する際の衝撃力を減らすことができ、扉部材を開閉する際の衝撃力によって扉部材や本体部材が損傷することを低減できる。
【００２３】
（４）  前記（２）に記載の遊技機において、
前記第１，第２リンク機構部は、前記扉部材を開いた状態において当該扉部材が鉛直方向または略鉛直方向に起立した起立姿勢となるように、前記扉部材の支軸側の上部を下部よりも大きく前記本体部材から離れさせるものである
ことを特徴とする遊技機。
【００２４】
前記（４）に記載の発明によれば、第１，第２リンク機構部は、扉部材を開いた状態においてこの扉部材が鉛直方向または略鉛直方向に起立した起立姿勢となるように、扉部材の支軸側の上部を下部よりも大きく本体部材から離れさせるので、扉部材の閉状態での傾斜姿勢から開状態での鉛直姿勢（または略鉛直姿勢）に起立され、扉部材の片開き過程でのその重心位置の上がり勾配を従来よりも小さく（重心の変位角を小さく）でき、扉部材の片開き時の重心位置上がり分を小さくできた分だけ扉部材の閉じる際の勢いを低減でき、従来例と比べて扉部材の自重による閉まり易さを低減でき、しかも扉部材を閉じるにつれて閉状態の傾斜姿勢に近づいていくため、従来のような傾斜姿勢のままで勢いがついて扉部材が閉まるということを低減でき、扉部材の閉時における第１，第２開閉機構部へのその閉方向の衝撃力を低減でき、扉部材や本体部材が損傷することを低減できる。また、扉部材を開く場合についてもこれと同様であり、扉部材の勢いが付くのを抑制して最大開放状態（片開き方向に９０°を超えた状態）とすることができ、扉部材の全開時における第１，第２開閉機構部へのその開放方向の衝撃力を低減でき、扉部材や本体部材が損傷することを低減できる。
【００２５】
（５）  請求項１、２に記載の遊技機、または、前記（１）から（４）のいずれか一つに記載の遊技機において、
前記機構部は、前記扉部材の開閉に伴って上下方向に回動自在としている
ことを特徴とする遊技機。
【００２６】
前記（５）に記載の発明によれば、機構部は、扉部材の開閉に伴って上下方向に回動自在となっているので、扉部材の閉状態での傾斜姿勢から開状態でのそれよりも起立した起立姿勢への変位に伴う機構部の上下動を許容することができ、扉部材の開閉の際に当該機構部の姿勢を上下方向に適宜に回動させることができ、機構部に無理な力がかからないようにできる。
【００２７】
（６）  前記（５）に記載の遊技機において、
前記機構部は、前記扉部材の開閉に伴って上下方向に回動自在となるように前記本体部材に軸支された回動ベース部と、前記回動ベース部に設けられた基体部と、前記扉部材の開放によって前記本体部材の前記開口面から一部が突き出た進出状態と、前記扉部材の閉鎖によって前記基体部の方に戻った後退状態とに変位可能でその所定箇所が前記扉部材に取り付けられた進退変位部と、を備えている
ことを特徴とする遊技機。
【００２８】
前記（６）に記載の発明によれば、機構部は回動ベース部と基体部と進退部とを備えている。回動ベース部は、扉部材の開閉に伴って上下方向に回動自在となるように本体部材に軸支されている。基体部は、回動ベース部に設けられている。進退変位部は、扉部材の開放によって本体部材の開口面から一部が突き出た進出状態と、扉部材の閉鎖によって基体部の方に戻った後退状態とに変位可能でその所定箇所が扉部材に取り付けられている。したがって、扉部材の閉状態での傾斜姿勢から開状態でのそれよりも起立した起立姿勢への変位に伴う機構部の上下動を許容することができ、扉部材の開閉の際に当該機構部の姿勢を上下方向に適宜に回動させることができ、機構部に無理な力がかからないようにできる。また、進退変位部の進出状態により扉部材を、傾斜姿勢よりも起立させた起立姿勢にすることができ、進退変位部の後退状態により扉部材を傾斜姿勢で本体部材の開口面を閉じた状態とすることができる。
【００２９】
（７）  請求項１、２に記載の遊技機、または、前記（１）から（５）のいずれか一つに記載の遊技機において、
前記遊技機はスロットマシンであることを特徴とする遊技機。
【００３０】
前記（７）に記載の遊技機によれば、扉部材を開閉する際の衝撃力によって扉部材や筐体が損傷することを低減できるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００３１】
以下、遊技機の一例としてスロットマシンの各種の実施の形態を、図面に基づいて詳細に説明する。なお、本発明を弾球遊技機の一種であるパチンコ遊技機（以下、単に「パチンコ機」という）、特に、第１種パチンコ遊技機や第３種パチンコ遊技機（権利物とも呼ばれる）、コイン遊技機等の他の遊技機に用いることは、当然に可能である。
【実施例１】
【００３２】
図１は、実施例１のスロットマシン１０の前面扉を閉じた状態の斜視図であり、図２は実施例１のスロットマシン１０の前面扉を開いた状態の斜視図である。本実施例のスロットマシン１０は、図１，図２に示すように、前面扉１２がその左側に本体１１に対して開閉自在に取り付けられ、前面扉１２を閉じた状態で施錠装置２０により前面扉１２と本体１１とを施錠可能である。また、図２に示すように、前面扉１２の正面視でその右側で上下２箇所に係止爪１９０が設けられている。この２個の係止爪１９０が本体１１の対応する箇所に係止することで前面扉１２が閉じられた状態を維持するようになっている。
【００３３】
本体１１は、図２に示すように、開口方向が斜め上方向である開口面１１ａを前面側に備えた筐体であり、その内部に、後述する主制御装置７０や左回胴Ｌ、中回胴Ｍ、右回胴Ｒや電源ボックス８５などの各種装置が収納されている。前面扉１２は、図１，図２に示すように、その前面側に次に説明する各種ランプなどを備え、本体１１の開口面１１ａを閉じるための部材である。
【００３４】
前面扉１２には、図１に示すように、遊技の進行に伴い点灯したり点滅したりする上部ランプ１３と、遊技の進行に伴い種々の効果音を鳴らしたり遊技者に遊技状態を報知したりするスピーカ１４，１４と、各種表示内容を表示する液晶ディスプレイ１５と、左回胴Ｌと中回胴Ｍと右回胴Ｒとをそれぞれ透視可能な遊技パネル３０と、略中段付近にて各種ボタン５１，５３〜５６，６１〜６３やスタートレバー５２やメダル投入口５７が設けられた操作部５０と、機種名や遊技に関わるキャラクタなどが表示された下段プレート１６と、メダル払出口１７から払い出された遊技用媒体としてのメダルを受けるメダル受け皿１８とが装着されている。
【００３５】
また、スロットマシン１０の内部には、図２に示すように、オンされるとスロットマシン１０の各部に電源を供給する電源スイッチ８１や、スロットマシン１０をリセットするときに操作するリセットスイッチ８２や、図示しない設定キーを挿入することにより、スロットマシン１０の設定状態を変更可能にする設定キー挿入孔８３などを備えている電源ボックス８５と、溢れるメダルの外部への誘導口８９を有し投入されたメダルを貯留する補助タンク８７とこの補助タンク８７内のメダルを払出用通路９２に通じる開口９３を介してメダル払出口１７へ払い出す払出装置８８とから構成されているホッパ８６や、ＣＰＵを中心とするマイクロコンピュータとして構成されており処理プログラムを記憶するＲＯＭや一時的にデータを記憶するＲＡＭや入出力処理回路がバスによって接続されている主制御装置７０や、ＣＰＵを中心とするマイクロコンピュータとして構成されており主制御装置７０からの出力信号による液晶ディスプレイ１５の表示内容の制御を行う表示用制御装置９４が装着されている。なお、上述した本体１１が本発明における本体部材に相当し、上述した前面扉１２が本発明における扉部材に相当する。
【００３６】
遊技パネル３０は、図１に示すように、左回胴Ｌ、中回胴Ｍ、右回胴Ｒの停止中または回転中の様子を外部に露出する露出窓３１Ｌ，３１Ｍ，３１Ｒを備え、露出窓３１Ｌの左側に配設された５つのベットランプ３２，３３，３３，３４，３４と、この露出窓３１Ｌ，３１Ｍ，３１Ｒの下側に配設されている、スロットマシン内部に貯留されている枚数を表示するものであるクレジット枚数表示部３５と、ビックボーナス時にあと何回ＪＡＣ（ジャック）インできるかとかＪＡＣゲーム時にあと何回ＪＡＣ図柄成立が残っているかといった回数を表示するものであるゲーム数表示部３６と、有効ライン上に同じ図柄が揃って入賞したときに払い出された枚数を表示するものである払出枚数表示部３７とを備えている。
【００３７】
操作部５０は、図１に示すように、前面扉１２の前面部に設けられたクレジットボタン５１と、スタートレバー５２と、左回胴用ストップボタン５３と、中回胴用ストップボタン５４と、右回胴用ストップボタン５５と、返却ボタン５６と、前面扉１２の水平段部に設けられたメダル投入口５７と、１枚ベットボタン６１と、２枚ベットボタン６２と、マックスベットボタン６３とを備えている。
【００３８】
スロットマシン１０は、図２に示すように、本体１１に対して前面扉１２を開閉自在（例えば片開き自在）とする開閉機構部材１００を備えている。本実施例１では、開閉機構部材１００は、前面扉１２の正面視で当該前面扉１２の縦方向の一辺側（本実施例では左辺側）に設けられている。
【００３９】
具体的には、開閉機構部材１００は、図２に示すように、正面視した状態での前面扉１２の左辺側（正面視した状態での本体１１の左辺側とも言える）に、その辺方向（つまり左辺長さ方向）に沿って複数個（本実施例では２個）間隔を空けて設けられている。つまり、前面扉１２の左辺上部側に第１開閉機構部材１１０が、前面扉１２の左辺下部側に第２開閉機構部材１６０がそれぞれ設けられている。
【００４０】
ここで、開閉機構部材１００の構造などについて図３〜図５も用いて以下に説明する。図３は、前面扉１２を開いた状態のスロットマシン１０の右側面図である。図４は、前面扉１２を開いた状態のスロットマシン１０の正面図である。図５は、前面扉１２を開いた状態のスロットマシン１０の平面図である。
【００４１】
開閉機構部材１００は、図２，図３に示すように、本体１１の開口面１１ａを見た状態でこの本体１１での左側（例えば左端）に設けられた、前面扉１２を本体１１に対して片開き自在とするための第１開閉機構部材１１０と、この第１開閉機構部材１１０よりも下方で間隔を空けた位置に設けられた、前面扉１２を本体１１に対して片開き自在とするための第２開閉機構部材１６０とを備えている。以下に、第１開閉機構部材１１０と第２開閉機構部材１６０とについて説明する。
【００４２】
第１開閉機構部材１１０は、前面扉１２の開放に伴って当該前面扉１２の支軸側（開閉軸Ｊ１の側）の上部を下部よりも大きく本体１１から離れさせるリンク機構部１２０を備えている。言い換えれば、第１開閉機構部材１１０のリンク機構部１２０は、前面扉１２の開放に伴って当該前面扉１２を第２開閉機構部材１６０よりも大きく本体１１から離れさせるようにしている。
【００４３】
図１に示すように、前面扉１２を本体１１の開口面１１ａを閉じた状態では、図２，図３に一点鎖線で示す傾斜した開閉軸Ｊ１を基準に開き始めるが、前面扉１２の開放に伴ってこの前面扉１２の左端上側箇所（前面扉１２の第１開閉機構部材１１０のある側の箇所）がその下側箇所（前面扉１２の第２開閉機構部材１６０のある側の箇所）に比べて本体１１の前方の方に大きく離れていく（図５では長さＬｅだけ離れていることがわかる）。つまり、前面扉１２の開放に伴って、図２，図３に一点鎖線で示す傾斜した開閉軸Ｊ１が徐々に起立していき、二点鎖線で示す鉛直方向に起立した開閉軸Ｊ１に変移する。
【００４４】
なお、前面扉１２は、図１に示すように本体１１に閉じた状態を０°（開き角が０°）とすると、図４，図５に示すように、最大に開放した状態が９０°（開き角が９０°）を越えた状態となっている。
【００４５】
リンク機構部１２０は、前面扉１２を開いた状態において当該前面扉１２が鉛直方向に起立した起立姿勢となるように、前面扉１２を本体１１から離れさせるものである。また、リンク機構部１２０は、前面扉１２の開閉に伴って上下方向に回動自在となっている。
【００４６】
ここで、リンク機構部１２０の構成について、図６〜図１０を用いてもう少し詳細に説明する。
【００４７】
図６（ａ）は第１開閉機構部材１１０での進退変位部１５０の進出状態を示す斜視図であり、図６（ｂ）は第１開閉機構部材１１０での進退変位部１５０の後退状態を示す斜視図である。図７（ａ）は進退変位部１５０が進出状態の第１開閉機構部材１１０の分解斜視図であり、図７（ｂ）は進退変位部１５０が後退状態の第１開閉機構部材１１０の分解斜視図である。図８（ａ）〜（ｃ）は第１開閉機構部材１１０での進退変位部１５０の変位を示す平面図である。図９（ａ）は前面扉１２を開いた状態の第２開閉機構部材１６０を示す斜視図であり、図９（ｂ）は前面扉１２を閉じた状態の第２開閉機構部材１６０を示す斜視図であり、図９（ｃ）は前面扉１２の開閉に伴って変位する、第２開閉機構部材１６０での支持部を示す図である。図１０（ａ）は第１開閉機構部材１１０の回動ベース部１３０の回動状態を示す斜視図であり、図１０（ｂ）はその図１０（ａ）の正面図である。
【００４８】
リンク機構部１２０は、図６〜図８に示すように、前面扉１２の開閉に伴って上下方向に回動自在となるように本体１１に軸支された回動ベース部１３０と、この回動ベース部１３０に設けられた基体部１４０と、前面扉１２の開放によって本体１１の開口面１１ａから一部が突き出た進出状態と、前面扉１２の閉鎖によって基体部１４０の方に戻った後退状態とに変位可能でその所定箇所が前面扉１２に取り付けられた進退変位部１５０とを備えている。
【００４９】
本体１１は、図２に示すように、その左内壁面に、縦長板状のプレート部材９６が取り付けられている。このプレート部材９６は、図７に示すように、その上部の所定箇所に、回動保持ピン１３１が挿入される回動用貫通孔９７が形成されている。
【００５０】
回動ベース部１３０は、図７に示すように、後述する基体部１４０が取り付けられる面を見た（取付面視）状態で略四角形状であり、その正面視（本体１１を正面視した状態）で中央部分が両端よりも本体１１の方に突出した段差形状となっている。また、回動ベース部１３０は、図７に示すように、取付面視で、所定箇所（例えば、中央箇所）に、回動保持ピン１３１が挿入される回動用貫通孔１３３が形成され、かつ、四隅に基体部１４０との取り付けのためのネジ用貫通孔１３５がそれぞれ形成されている。
【００５１】
また、図７に示すように、回動保持ピン１３１を、プレート部材９６の回動用貫通孔９７と回動ベース部１３０の回動用貫通孔１３３とに挿入して取り付けることで、図１０に示すように、回動ベース部１３０がプレート部材９６に対して回動保持されている。
【００５２】
基体部１４０は、図７，図８に示すように、回動ベース部１３０に取り付けられる取付板部１４１と、この取付板部１４１での回動ベース部１３０と対向する面とは反対側の面に設けられた略長方体形状の支持枠部１４３とを備えている。この支持枠部１４３は、図７，図８に示すように、取付面視（つまり、本体１１の左内壁面を見た状態）で略中央箇所に第１軸支部１４５を備え、取付面視でその先端側（本体１１の前方側の先端）に第２軸支部１４７を備えている。
【００５３】
進退変位部１５０は、図７，図８に示すように、支持枠部１４３の第１軸支部１４５に基端側が回動可能に軸支された第１アーム１５１と、支持枠部１４３の第２軸支部１４７に基端側が回動可能に軸支された第２アーム１５３と、第１アーム１５１の先端側および第２アーム１５３の中間端側を回動可能に軸支する進退枠部１５５と、この進退枠部１５５の先端側に回動可能に軸支された、前面扉１２に取り付けられる取付ベース１５７とを備えている。
【００５４】
なお、取付ベース１５７は、図２に示すように、前面扉１２の裏面側に取り付けられた台部材（例えば、平面視でコノ字形状とした金属製の）部材に取り付けられているが、前面扉１２の裏面側に直接に取付ベース１５７を取り付けるようにしてもよい。
【００５５】
図７，図８に示すように、進退枠部１５５は、平面視でその基端側の箇所に、第１アーム１５１の先端側を回動可能に軸支する第１軸支孔１５５ａが形成され、平面視で中間箇所に、第２アーム１５３の中間端側を回動可能に軸支する第２軸支孔１５５ｂが形成され、平面視で先端側に、取付ベース１５７の軸孔１５７ａに挿入される突出ピン１５５ｃが形成され、断面視で基体部１４０側に開口した略コノ字形状となっており、第２アーム１５３を突き出させて逃がすための切欠き部１５６を備えている。
【００５６】
また、進退枠部１５５は基体部１４０側に開口した略コノ字形状とすることにより、図６に示すように前面扉１２を閉じた状態としてときに、その略コノ字形状の内部に基体部１４０を入れた状態となる。つまり、コンパクトに収納された格好となり、省スペース化が図られている。
【００５７】
第２アーム１５３は、図７，図８に示すように、その先端側に第３アーム１５９が回動可能に取り付けられている。具体的には、第２アーム１５３は、第３アーム１５９の基端側のピン１５９ａが挿入される挿入孔１５３ａを備え、第３アーム１５９は、その先端側が取付ベース１５７に回動可能に取り付けられている。
【００５８】
取付ベース１５７は、その四隅に、前面扉１２との取り付けのためのネジ用貫通孔１５７ｂがそれぞれ形成されている。
【００５９】
前面扉１２が開かれた状態では、図７（ａ），図８（ａ）に示すように、取付ベース１５７が本体１１の略左側に向いている。また、前面扉１２が閉じられた状態では、図７（ｂ），図８（ｃ）に示すように、取付ベース１５７が本体１１の前方に向いている。
【００６０】
続いて、第２開閉機構部材１６０について説明する。
【００６１】
第２開閉機構部材１６０は、図９に示すように、本体１１に取り付けられたプレート部材９６の下部側に設けられた軸部１６１と、前面扉１２に設けられた、軸部１６１が挿入された状態でその軸心方向を変位可能に支持する支持片１６３とを備えている。
【００６２】
支持片１６３は、略Ｌ字状部材となっており、その上面側には、軸部１６１が挿入される長孔１６４が形成されている。なお、本実施例１では、支持片１６３は折り曲げ加工して略Ｌ字形状としている。
【００６３】
この長孔１６４は、傾斜姿勢で本体１１に閉じられた前面扉１２を開放していくにつれてこの前面扉１２を鉛直方向に起立していくことを許容する形状となっている。
【００６４】
したがって、本実施例１では、支持片１６３に長孔１６４を形成しているが、長孔に限らず、円弧状の長孔やすり鉢状の孔など、傾斜姿勢で本体１１に閉じられた前面扉１２を開放していくにつれてこの前面扉１２を鉛直方向に起立していくことを許容する種々の形状を採用することができる。
【００６５】
なお、上述した開閉機構部材１００が本発明における片開き開閉機構に相当し、上述した第１開閉機構部材１１０が本発明における第１開閉機構部に相当し、上述したリンク機構部１２０が本発明における機構部に相当し、上述した第２開閉機構部材１６０が本発明における第２開閉機構部に相当し、上述した軸部１６１が本発明における軸部材に相当し、上述した支持片１６３が本発明における支持部に相当する。
【００６６】
ここで、前面扉１２の開放動作と、その際の第１開閉機構部材１１０および第２開閉機構部材１６０の変移について説明する。
【００６７】
図１に示すように、前面扉１２を閉じた状態では、開閉機構部材１００の開閉軸Ｊ１は図１に二点鎖線で示すように傾斜した状態となっている。このとき、第１開閉機構部材１１０は、図６（ｂ），図８（ｃ）に示すように、進退変位部１５０が後退状態となっており、第２開閉機構部材１６０は、図９（ｂ）に示すように、支持片１６３の前面扉１２への取り付け面を正面に向けた姿勢で、かつ、長孔１６４のうちの折り曲げ側に近い箇所に軸部１６１が位置して軸支されている。
【００６８】
次に、前面扉１２を開いていくと、図８（ｂ）に示すように、第１開閉機構部材１１０の進退変位部１５０が図８（ｃ）での後退状態から、図８（ａ）の進出状態に向かっていくように変移していき、第２開閉機構部材１６０の支持片１６３が前面扉１２への取り付け面を正面に向けた姿勢から左側に向けた姿勢に変移しつつ、かつ、長孔１６４のうちの折り曲げ側に近い箇所から遠い箇所に向かうように軸部１６１が位置して軸支されている。
【００６９】
そして、前面扉１２が完全に開かれた状態となると（図２〜図５参照）、図８（ａ）に示すように、第１開閉機構部材１１０の進退変位部１５０が進出状態となり、第２開閉機構部材１６０の支持片１６３が前面扉１２への取り付け面を左側に向けた姿勢で、かつ、長孔１６４のうちの折り曲げ側から遠い箇所に軸部１６１が位置して軸支されている。
【００７０】
つまり、図１に示すように、前面扉１２を本体１１の開口面１１ａを閉じた状態では、図２，図３に一点鎖線で示す傾斜した開閉軸Ｊ１を基準に開き始めるが、前面扉１２の開放に伴ってこの前面扉１２の左端上側箇所（前面扉１２の第１開閉機構部材１１０のある側の箇所）がその下側箇所（前面扉１２の第２開閉機構部材１６０のある側の箇所）に比べて本体１１の前方の方に大きく離れていく（図５では長さＬｅだけ離れていることがわかる）。すなわち、前面扉１２の開放に伴って、図２，図３に一点鎖線で示す傾斜した開閉軸Ｊ１が徐々に起立していき、二点鎖線で示す鉛直方向に起立した開閉軸Ｊ１に変移する。
【００７１】
上述したように、本実施例１のパチンコ機１０によれば、開口方向が斜め上方向である開口面１１ａを備えた本体１１と、この本体１１の開口面１１ａを閉じるための前面扉１２とを備え、この前面扉１２を本体１１に対して片開き自在に開閉する開閉機構部材１００を備え、この開閉機構部材１００は、開口面１１ａを見た状態で本体１１での左側に設けられた、前面扉１２を本体１１に対して片開き自在とするための第１開閉機構部材１１０と、この第１開閉機構部材１１０よりも下方で間隔を空けた位置に設けられた、前面扉１２を本体１１に対して片開き自在とするための第２開閉機構部材１６０とを備え、第１開閉機構部材１１０は、前面扉１２の開放に伴って当該前面扉１２の支軸側の上部を下部よりも大きく本体１１から離れさせるリンク機構部１２０を備えているので、前面扉１２を閉じる際について言えば、従来例では、扉部材の上部がその下部よりも本体部材の方に傾いた傾斜姿勢のままで本体部材に対して閉じられるようになっており、扉部材の自重で閉まり易くなっているのみならず、この扉部材が勢いの付いた状態で閉じられる構成となっている。つまり、扉部材の重心位置は、閉じた状態から斜め上がりに片開きされるにつれて上がっていっており、この重心位置を上げた分の仕事量で勢いが付いて閉じられるので、その閉じた時の当該扉部材の蝶番への閉方向の衝撃力によって扉部材や本体部材が損傷することがある。これに対して、本実施例では前面扉１２の片開き過程でのその重心位置の上がり勾配を従来よりも小さく（重心の変位角を小さく）しており、言い換えれば、前面扉１２の重心位置ができるだけ水平方向に移動するようにしており、前面扉１２の片開き時の重心位置上がり分を小さくできた分だけ前面扉１２の閉じる際の勢いを低減でき、従来例と比べて前面扉１２の自重による閉まり易さを低減でき、しかも前面扉１２を閉じるにつれて閉状態の傾斜姿勢に近づいていくため、従来のような傾斜姿勢のままで勢いがついて前面扉１２が閉まるということを低減でき、前面扉１２の閉時における第１，第２開閉機構部材１１０，１６０へのその閉方向の衝撃力を低減でき、前面扉１２や本体１１が損傷することを低減できる。
【００７２】
これとは逆に、前面扉１２を開く場合には、第１開閉機構部の機構部により、前面扉１２の開放に伴って当該前面扉１２の上部がその下部よりも本体１１から離れていく。すなわち、前面扉１２を傾斜姿勢から鉛直姿勢に向かうように起立させていくことができる。従来例では、傾斜軸が固定のままで扉部材が本体部材に対して片開きとされており、扉部材を片開き方向に９０°を超えて開く場合には、この扉部材が勢いの付いた状態で片開き方向に９０°を超えた最大開放状態となり、その全開時の当該扉部材の蝶番への開放方向の衝撃力によって扉部材や本体部材が損傷することがある。これに対して、本実施例では前面扉１２の片開き過程でのその重心位置の上がり勾配を従来よりも小さく（重心の変位角を小さく）しており、言い換えれば、前面扉１２の重心位置ができるだけ水平方向に移動するようにしており、前面扉１２の片開き時の重心位置上がり分を小さくできた分だけ前面扉１２の勢いを低減でき、前面扉１２の勢いが付くのを抑制して最大開放状態（片開き方向に９０°を超えた状態）とすることができ、前面扉１２の全開時における第１，第２開閉機構部材１１０，１６０へのその開放方向の衝撃力を低減でき、前面扉１２や本体１１が損傷することを低減できる。
【００７３】
したがって、前面扉１２を開閉する際の衝撃力を減らすことができ、前面扉１２を開閉する際の衝撃力によって前面扉１２や本体１１が損傷することを低減できる。
【００７４】
また、第２開閉機構部材１６０は、本体１１に取り付けられた軸部１６１と、前面扉１２に設けられた、軸部１６１が挿入された状態でその軸心方向を変位可能に支持する支持片１６３とを備えているので、前面扉１２の開閉に伴う当該前面扉１２の開閉軸方向の変位に対応することができる。
【００７５】
また、リンク機構部１２０は、前面扉１２を開いた状態において当該前面扉１２が鉛直方向に起立した起立姿勢となるように、前面扉１２を本体１１から離れさせるものであるので、前面扉１２の閉状態での傾斜姿勢から開状態での鉛直姿勢に起立され、前面扉１２の勢いが付くのを抑制して最大開放状態とすることができ、前面扉１２の全開時における第１，第２開閉機構部材１１０，１６０へのその開放方向の衝撃力を低減でき、前面扉１２や本体１１が損傷することを低減できる。また、これとは逆に閉じる際について言えば、前面扉１２が開放された状態では、鉛直姿勢となっており、従来例と比べて扉部材の自重による閉まり易さを低減でき、しかも扉部材を閉じるにつれて閉状態の傾斜姿勢に近づいていくため、従来のような傾斜姿勢のままで勢いがついて扉部材が閉まるということを低減でき、前面扉１２の閉時における第１，第２開閉機構部材１１０，１６０へのその閉方向の衝撃力を低減でき、前面扉１２や本体１１が損傷することを低減できる。したがって、前面扉１２を開閉する際の衝撃力を減らすことができ、前面扉１２を開閉する際の衝撃力によって前面扉１２や本体１１が損傷することを低減できる。
【００７６】
また、リンク機構部１２０は、前面扉１２の開閉に伴って上下方向に回動自在となっているので、前面扉１２の閉状態での傾斜姿勢から開状態でのそれよりも起立した起立姿勢への変位に伴うリンク機構部１２０の上下動を許容することができ、前面扉１２の開閉の際に当該リンク機構部１２０の姿勢を上下方向に適宜に回動させることができ、リンク機構部１２０に無理な力がかからないようにできる。
【００７７】
また、リンク機構部１２０は、前面扉１２の開閉に伴って上下方向に回動自在となるように本体１１に軸支された回動ベース部１３０と、この回動ベース部１３０に設けられた基体部１４０と、前面扉１２の開放によって本体１１の開口面１１ａから一部が突き出た進出状態と、前面扉１２の閉鎖によって基体部１４０の方に戻った後退状態とに変位可能でその所定箇所が前面扉１２に取り付けられた進退変位部１５０と、を備えているので、前面扉１２の閉状態での傾斜姿勢から開状態でのそれよりも起立した起立姿勢への変位に伴うリンク機構部１２０の上下動を許容することができ、前面扉１２の開閉の際に当該リンク機構部１２０の姿勢を上下方向に適宜に回動させることができ、リンク機構部１２０に無理な力がかからないようにできる。また、進退変位部１５０の進出状態により前面扉１２を、傾斜姿勢よりも起立させた起立姿勢にすることができ、進退変位部１５０の後退状態により前面扉１２を傾斜姿勢で本体１１の開口面１１ａを閉じた状態とすることができる。
【００７８】
また、図２に示すように、前面扉１２の下側の係止爪１９０（２個の係止爪１９０であればさらによい）と、第１開閉機構部材１１０とにより、前面扉１２が本体１１に留められているので、前面扉１２が本体１１に対してその前後方向にがたつくようなことがない。
【実施例２】
【００７９】
次に、実施例２のパチンコ機１０について図１１〜図１５を用いて説明する。図１１は、実施例２のスロットマシン１０の前面扉を開いた状態の斜視図である。図１２は、実施例２の前面扉１２を開いた状態のスロットマシン１０の右側面図である。図１３は、実施例２の前面扉１２を開いた状態のスロットマシン１０の正面図である。図１４は、実施例２の前面扉１２を開いた状態のスロットマシン１０の平面図である。図１５（ａ）は、実施例２の第２開閉機構部材１７０を分解斜視図であり、図１５（ｂ）は前面扉１２を開いた状態の第２開閉機構部材１７０を示す斜視図であり、図１５（ｃ）は前面扉１２を閉じた状態の第２開閉機構部材１７０を示す斜視図である。
【００８０】
実施例２では、前述した実施例１とは別の第２開閉機構部材１７０を採用している点が、前述の実施例１とは異なっている。以下に、実施例２の第２開閉機構部材１７０について説明する。
【００８１】
なお、第１開閉機構部材１１０については、前述の実施例１と同様であるので、この実施例２での第１開閉機構部材１１０の説明を省略する。
【００８２】
第２開閉機構部材１７０は、図１５に示すように、前面扉１２に取り付けられた取付部材１７１の下部側にネジ止めされるＬ字板部材１７３の底板１７３ａに設けられた軸部１７５と、本体１１に設けられた、軸部１７５が挿入された状態でその軸心方向を変位可能に支持する支持部材１７７とを備えている。
【００８３】
支持部材１７７は、先端側が本体１１の左側に曲がった曲がり板部であり、その先端側に軸部１７５が挿入される挿入孔１７７ａが形成され、基端側を高さ方向に折り曲げた取付板部１７７ｂを備えたものとしている。この取付板部１７７ｂには、本体１１の左内壁面に回動自在に取り付けるための貫通孔１７７ｃを備えている。
【００８４】
本実施例２では、支持部材１７７の取付板部１７７ｂに貫通孔１７７ｃを形成しており、傾斜姿勢で本体１１に閉じられた前面扉１２を開放していくにつれてこの前面扉１２を鉛直方向に起立していくことを許容するように、支持部材１７７の取付板部１７７ｂが回動するようになっている。
【００８５】
なお、本実施例２では、支持部材１７７の取付板部１７７ｂが本体１１に対して貫通孔１７７ｃを軸心として回動可能としているが、その回動可能構成に替えて、支持部材１７７の先端側の挿入孔１７７ａをすり鉢状の孔とすることで、傾斜姿勢で本体１１に閉じられた前面扉１２を開放していくにつれてこの前面扉１２を鉛直方向に起立していくことを許容するようにしてもよい。
【００８６】
上述したように、本実施例２のスロットマシン１０によれば、第２開閉機構部材１７０は、前面扉１２に取り付けられた取付部材１７１の下部側にネジ止めされるＬ字板部材１７３の底板１７３ａに設けられた軸部１７５と、本体１１に設けられた、軸部１７５が挿入された状態でその軸心方向を変位可能に支持する支持部材１７７とを備え、この支持部材１７７は、先端側が本体１１の左側に曲がった曲がり板部であり、その先端側に軸部１７５が挿入される挿入孔１７７ａが形成され、基端側を高さ方向に折り曲げた取付板部１７７ｂを備えたものとし、この取付板部１７７ｂは、本体１１の左内壁面に回動自在に取り付けるための貫通孔１７７ｃを備えているので、前面扉１２の開閉に伴う当該前面扉１２の開閉軸方向の変位に対応することができる。
【実施例３】
【００８７】
次に、実施例３のパチンコ機１０について図１６〜図１９を用いて説明する。図１６は、実施例３のスロットマシン１０の前面扉を開いた状態の斜視図である。図１７は、実施例３の前面扉１２を開いた状態のスロットマシン１０の右側面図である。図１８は、実施例３の前面扉１２を開いた状態のスロットマシン１０の正面図である。図１９は、実施例３の前面扉１２を開いた状態のスロットマシン１０の平面図である。
【００８８】
実施例３では、前述した実施例１，２の第１開閉機構部材１１０を小型化したものを、第２開閉機構部材１８０として採用している点が、前述の実施例１，２とは異なっている。以下に、実施例３の第２開閉機構部材１８０について説明する。
【００８９】
なお、第１開閉機構部材１１０については、前述の実施例１，２と同様であるので、この実施例２での第１開閉機構部材１１０の説明を省略する。
【００９０】
実施例３の第２開閉機構部材１８０は、図１６〜図１９に示すように、第１開閉機構部材１１０を小型化したものとしている。言い換えれば、リンク機構部１２０は第１リンク機構部であり、第２開閉機構部材１８０は、前面扉１２の開放に伴って当該前面扉１２を本体１１から離れさせる第２リンク機構部であり、第１リンク機構部は、前面扉１２の開放に伴って当該前面扉１２を第２リンク機構部よりも大きく本体１１から離れさせるものである。
【００９１】
上述したように、本実施例３のスロットマシン１０によれば、第２開閉機構部材１８０として、第１開閉機構部材１１０を小型化したものを採用しているので、前面扉１２の開閉に伴う当該前面扉１２の開閉軸方向の変位に対応することができる。
【００９２】
この発明は、上記実施形態に限られることはなく、下記のように変形実施することができる。
【００９３】
（１）上述した各実施例では、開閉機構部材１００は、前面扉１２の左側に設けられているが、右側に設けるようにし、右側に片開き可能な構成としてもよい。
【００９４】
（２）上述した各実施例では、リンク機構部１２０は前面扉１２を開いた状態において当該前面扉１２が鉛直方向に起立した起立姿勢となるように、前面扉１２を本体１１から離れさせるものとしているが、略鉛直方向に起立した起立姿勢となるようにしてもよい。
【００９５】
（３）上述した実施例１では、本体１１に取り付けられたプレート部材９６に軸部１６１を設け、前面扉１２に支持片１６３を設けた構成を例示して説明したが、それとは逆に、本体１１に取り付けられたプレート部材９６に支持片１６３を設け、前面扉１２に軸部１６１を設けた構成を採用してもよい。
【００９６】
（４）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【００９７】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【００９８】
以上のように、この発明は、パチンコ機やスロットマシン等の遊技機に適している。
【符号の説明】
【００９９】
１１  …本体（本体部材）
１１ａ…開口面
１２  …前面扉（扉部材）
１００  …開閉機構部材（片開き開閉機構）
１１０  …第１開閉機構部材（第１開閉機構部）
１２０  …リンク機構部（機構部）
１６０  …第２開閉機構部材（第２開閉機構部）
【図１】
2014223391.tif 000003
【図２】
2014223391.tif 000004
【図３】
2014223391.tif 000005
【図４】
2014223391.tif 000006
【図５】
2014223391.tif 000007
【図６】
2014223391.tif 000008
【図７】
2014223391.tif 000009
【図８】
2014223391.tif 000010
【図９】
2014223391.tif 000011
【図１０】
2014223391.tif 000012
【図１１】
2014223391.tif 000013
【図１２】
2014223391.tif 000014
【図１３】
2014223391.tif 000015
【図１４】
2014223391.tif 000016
【図１５】
2014223391.tif 000017
【図１６】
2014223391.tif 000018
【図１７】
2014223391.tif 000019
【図１８】
2014223391.tif 000020
【図１９】
2014223391.tif 000021